Podtech/llm-jp-corpus-v4-ja_patent huggingface dataset:
(57)【要約】【課題】洗濯をする際洗濯用洗浄補助材を用い洗剤の低減とすすぎ時間の短縮、及び水の使用量の低減を図る。【解決手段】。洗濯用洗浄補助材１は軟質プラスチック素材（例えばポリウレタンホーム等）よりなり形状は球形の発泡体２又は多角形の発泡体３で形成し、適度な重さを有したオモリ４を芯に設け構成されている。【選択図】      図１
2004181186.tif 000002
【特許請求の範囲】
【請求項１】
洗濯に洗剤と共に用いる洗濯洗浄補助材として、軟質プラスチック素材（例えばポリウレタンホーム）よりなり形状は、球形又は多角形の発泡体で形成し、適度な重さを有したオモリを芯として設けたことを特長とする洗濯用洗浄補助材。
【請求項２】
各発泡体の大きさ及び均一性、並びに芯に設けたオモリの大きさは、使用目的に合わせ選択できることを特長とした請求項１記載の洗濯用洗浄補助材。
【発明の詳細な説明】
【０００１】
【発明の属する技術分野】
本発明は、洗濯に洗剤と共に用いる洗濯用洗浄補助材に関するものである。
【０００２】
【従来の技術】
従来２漕式洗濯機から現在は自動洗濯機が主流となっているが、昨今は超音波及び電界水を発生する装置をつけ洗剤ゼロコースを付加した環境を考慮した全自動洗濯機もある。一方洗濯の際用いれば効果的と考えられる洗濯洗浄補助材はなく、強いて上げれば洗濯物のからみを少なくする洗濯補助材がある。
【０００３】
【発明が解決しようとする課題】
従来の洗濯機は、先に述べた環境を考慮した全自動洗濯機もあるが、主流は洗濯の工程が洗濯コースをインプットすれば自動で脱水又は乾燥迄行う、ファジー制御、ニューロ制御等、コンピュータを利用した、全自動洗濯機が使用されている。又洗濯量及び洗濯物の内容により各種洗剤の必要量は決められている。しかし環境問題が問われる現在、省エネ等も含め洗剤の使用量の低減及び洗濯時間の短縮等の課題は、少しでも解決手段を講ずる必要がある。
【０００４】
【課題を解決する手段】
上記の課題を解決するために、本発明は軟質プラスチック素材（例えばポリウレタンフォーム等）よりなり形状は球形又は多角形の発泡体で形成し、適度な重さを有したオモリを芯に設けた洗濯用洗浄補助材を、洗濯をする際洗濯機の洗濯槽に洗濯物及び洗剤と共に、該洗濯用洗浄補助材を洗濯量に合わせ数個から１０数個入れ洗濯する事により、水流により洗濯物と揉み合い該洗濯用洗浄補助材は芯に設けたオモリの適度な重さにより、浮き沈みを繰り返しながら回転し、同時に洗剤も発泡体により撹拌され、きめ細かい泡が洗濯物全体に浸透し効率的な洗濯ができる。
【０００５】
又、洗濯用洗浄補助材が洗濯物と揉み合うと、球形又は多角形の発泡体は圧縮と復元を繰り返しながら、汚れ、ゴミ等の除去を促進すると共に発泡体内部に取り込んだ洗剤が噴射され、洗浄の相乗効果が得られる。
【０００６】
【発明の実施と形態】
本発明の構成と形態を図１及び図２に依って説明する。
洗濯用洗浄補助材１は軟質プラスチック素材（例えばポリウレタンフォーム等）よりなり形状が球形の発泡体２又は多角形の発泡体３で形成し、いずれも適度な重さを有したオモリ４を芯に設け構成されている。
【０００７】
【実施例】
実施例を図２に依って説明する。
洗濯機の洗濯槽５に、洗濯物６、洗剤７、洗濯用洗浄補助材１を洗濯量に合わせ数個から１０数個入れ該洗濯機の洗濯槽５に水８を注水し動作させると、水流により洗濯物６と洗濯用洗浄補助材１は揉み合い該洗濯用洗浄補材１は芯に設けたオモリ４の適度の重さにより浮沈みを繰り返しながら回転し、同時に洗剤７も発泡体２又は３により撹拌され、きめ細かい泡が洗濯物６に浸透し洗濯される。
【０００８】
【発明の効果】
本発明の洗濯用洗浄補助材は上記説明の通り実施することにより洗剤の使用量は通常使用量より低減（例えば４割から５割減）でき効率的な洗濯ができる。
【０００９】
又、洗剤が少なくて済むことと、きめ細かい泡立ちによる洗濯物への浸透性が良いため汚れ、ゴミ等の除去が促進されすすぎ時間が少なくて済み、水の使用量も低減できる。
【００１０】
洗濯用洗浄補助材は、球形又は多角形で柔らかい素材により発泡体が形成されているため、洗濯物を痛めない。
【００１１】
又、洗濯用洗浄補助材は洗濯物の汚れ具合、及び生地素材の違いによって、該洗濯用洗浄補助材の形状の使い分けができ、効果的な洗濯が出来る。
【図面の簡単な説明】
【図１】洗濯用洗浄補助材の形状が球形の場合を示す縦断面図。
【図２】洗濯用洗浄補助材の形状が多角形の場合を示す縦断面図。
【図３】洗濯用洗浄補助材の実施例を示す縦断面図。
【符号の説明】
１：洗濯用洗浄補助材
２：球形からなる発泡体
３：多角形からなる発泡体
４：オモリ
５：洗濯槽
６：洗濯物
７：洗剤
８：水
【図１】
2004181186.tif 000003
【図２】
2004181186.tif 000004
【図３】
2004181186.tif 000005
(57)【要約】【課題】防寒耳カバー装置でありながら、携帯電話や小型ヘッドホンの使用が可能で、また外部音が更に聞こえることを課題とする。【解決手段】耳の表面を被覆するための外部材と、耳の裏側を被覆する裏部材とを連結一体とし、耳全体を袋状に形成された耳カバーにおいて、耳の前方箇所の部分に、耳挿入口として開口するよう構成する。【選択図】      図１
2004181188.tif 000002
【特許請求の範囲】
【請求項１】
耳の表面を被覆するための外部材と、耳の裏側を被覆する裏部材とを連結一体とし、耳全体を袋状に形成された耳カバーにおいて、耳の前方箇所の部分が、開口することを特徴とする防寒耳カバー装置。
【請求項２】
前記耳カバーは、左右２つの耳カバーと、この２つを結ぶ結合機構で構成され、載頭時にはこの結合機構が耳輪に沿って、頭部と頸部の背面に横断するものを特徴とする、請求項１の組合わせ式耳カバー装置。
【発明の詳細な説明】
【０００１】
【発明の属する技術分野】
本発明は、耳の表面と裏側を被覆する耳カバーであり防寒具に係り、特に耳の前方箇所を開口した防寒用耳カバーに関する。
【０００２】
【従来の技術】
従来の耳カバーでは、円形状に形成された耳カバーであり、その円形部はプラスチックなどの硬質材を使用し、厚型である。使用時には、カバー部が耳全体を被覆するものであり、前記のカバー部に通音孔としての穴を設けたものである。また、左右のカバー部を連結部材で結合されており、その連結部材が頭部に挾装するように形成された耳カバーである。
【０００３】
【発明が解決しようとする課題】
従来の耳カバーでは、耳全体を被覆してしまい、携帯電話・イヤホン・小型ヘッドホンの使用ができず、また、外部音を聞くのに通音孔からの音だけであった。そこで本発明は、防寒用耳カバーでありながら載頭時でも、上記の携帯電話・イヤホン・小型ヘッドホンの使用が可能で、また外部音が更に聞こえることを課題とする。
【０００４】
【課題を解決するための手段】
上記課題を解決するために、請求項１記載の耳カバーは、耳全体を袋状に形成された耳カバーにおいて、耳の前方箇所を開口することにより、課題を解決する。
【発明の実施の形態】
【０００５】
本発明の、防寒耳カバー装置の一実施図を図面に基づいて説明する。図１において、この耳カバーは全体として符号１で示されている。この耳カバー１は、左側耳カバー部２と右側耳カバー部３とを耳カバーホルダー４にて結合したもので構成されている。
【０００６】
図２は、個人の装着図である。この耳カバー１は、装着されると耳カバーホルダー４が、個人の耳輪から頭部と頸部の背面に沿って延在する構成となっているため、頭髪を乱す恐れもなく、脱落することもない。
【０００７】
図３は、右側耳カバー３の裏面斜視図である。尚、左側耳カバー４は、同一の構造の一組を左右対称に設定するものとする。
この右側耳カバー３は、符号５の外部材と符号６の裏部材を有しそれぞれに裏地材が固定され、それらを裏地材７、裏地材８と記す。上記の符号５外部材と符号６裏部材は、符号６裏部材の耳介に沿った外側部は結合され、内輪は耳挿入口として開口されている。この挿入口によって、耳カバーの着脱や携帯電話・イヤホン・小型ヘッドホンの挿入が可能となる。
【０００８】
図４は、右側耳カバー３の外面斜視図である。符号５の外部材は、本発明の要旨から逸脱することなく、この形成を種々に変更することが可能である。
【０００９】
図５は、図４に於ける符号５外部材、符号７裏地材と符号７裏部材を脱却した右側耳カバー３の分解断面図である。耳カバーホルダー３は、軸となる内部機構９とそれを被覆するホルダーカバー１０で構成されている。内部機構９は、図３の符号６裏部材と符号８裏地材の間に挿入されており、これが個人の耳１１の耳輪に沿って適応した形状になっており、更に内部機構９をホルダーカバー１０で被覆し快適な掛け心地を実現する。
【０００１０】
【発明の効果】
本発明は以上に説明したような構成により次のような効果を奏する。請求項１に記載されている発明は、耳表面を被覆する外部材と、裏側を被覆する裏部材で構成されるため薄型で、耳の前方箇所が開口してあるため、携帯電話やイヤホン・小型ヘッドホンの侵入が可能となり使用することができ、安全性として外部音が聞こえ易くなっている。また、耳カバー両部を結合する部分が、耳輪を沿って後頭部を横断するため使用者の髪型を乱す恐れもなく、脱落することもない。
【図面の簡単な説明】
【図１】本発明の防寒耳カバー装置の斜視図である。
【図２】本発明の防寒耳カバー装置の使用状態を示す説明図である。
【図３】本発明の防寒耳カバー装置の裏側斜視図である。
【図４】本発明の防寒耳カバー装置の外面斜視図である。
【図５】本発明の防寒耳カバー装置の内部を示す分解断面図である。
【符号の説明】
１  防寒耳カバー装置
２  左側耳カバー
３  右側耳カバー
４  耳カバーホルダー
５  外部材
６  裏部材
７、８  裏地材
９  内部機構
１０  ホルダーカバー
１１  個人の耳
【図１】
2004181188.tif 000003
【図２】
2004181188.tif 000004
【図３】
2004181188.tif 000005
【図４】
2004181188.tif 000006
【図５】
2004181188.tif 000007
(57)【要約】      （修正有）【課題】舌圧子を手で束ね持つので、束が崩れやすくかつ差し込む舌圧子によって押し出される舌圧子と舌圧子が唾液で汚れる。舌圧子の束が崩れにくく衛生的な舌圧子捕捉サックを提供する。【解決手段】先端部分を厚くし平面にする事により舌圧子の押し出し防止となる。同時に舌圧子の２分の１の長さで覆うので舌圧子を捕捉し安定させると同時に唾液による汚れを防ぎ衛生的である。舌圧子Ｃの束に舌圧子Ｄ，１枚を差し込んでゆき一枚一枚増やす事で開口のリハビリをする。【選択図】図３
2004181174.tif 000002
【特許請求の範囲】
【請求項１】
ゴムサック先端部分（Ａ）を厚くする。
【請求項２】
厚くした先端部分を平面（Ｂ）にする。
【請求項３】
ゴムサックの長さを舌圧子の２分の１（Ｃ）とする。
【発明の詳細な説明】
【０００１】ゴムサックの先端を平らにしその部分を厚くする事により舌圧子が口の中へ飛び出すのを防ぎ重ねた舌圧子の束を一定に保つ事が出来る。
（発明の属する技術分野）
【０００２】医学治療関係に利用するが、具体的には開口リハビリ用具で舌圧子を楽に操作出来てリハビリの効果が上がる。
（従来の技術）
【０００３】開口リハビリには舌圧子を何枚も重ね口にくわえ自分の手で束ね持ち、舌圧子を増やしていくが、舌圧子を一枚いちまい増して行く段階で、増す舌圧子によりすでにくわえている舌圧子が押し込まれ喉を突く危険性がありかつ唾液で舌圧子が汚れて不衛生になる。
（発明が解決しょうとする課題）
【０００４】舌圧子を手で束ね持つので束が崩れ易く。差し込む舌圧子による押し出される舌圧子と舌圧子が唾液で汚れる。
（課題を解決するための手段）
【０００５】口腔外科手術等により口が開かなくなるのを防ぐ為の開口リハビリ用具で、舌圧子をくわえそれを手で支え１枚一枚増やしていく過程で差し込む舌圧子とくあえて居る舌圧子の摩擦により、くわえていた舌圧子が押し込まれ喉を突く状態になり危険性がある。その突き込まれる舌圧子を防ぎかつ手で束ねていたのをゴムサックが包みかつ唾液での汚れを防ぎ衛生的でありリハビリも楽にできる。
（発明の効果）
現在開口リハビリについては医師の指導により舌圧子なる医療用具を利用して行うが、口内の手術などにより開口が出来なくなる、それを防ぐ為、舌圧子を口にくわえ、１枚１枚増やして行く際、手加減等でくわえて居た舌圧子が押し出され患者の喉を突いてしまう危険がある。従って非常に神経を使ってのリハビリとなる。又医師の指導により患者自身でも同様のリハビリをするが、このサックを使う事により何枚も重ねたばらの舌圧子を固定し、先端の厚みのある部分で押し出される舌圧子を押さえる事になるので医師の指導も患者自身のリハビリもスムースに安全かつ衛生的に出来る。
【図面の簡単な説明】
【図１】サックの側面図
【図２】サックの先端部分の表面図
【図３】サックの使用状況
【符号の説明】
１      Ａ
２      Ｂ
３      Ｃ・Ｄ
４      Ｅ
【図１】
2004181174.tif 000003
【図２】
2004181174.tif 000004
【図３】
2004181174.tif 000005
(57)【要約】【課題】従来の立食形態の不便さ、つまり片方の手には食べ物を入れた皿を、又、もう一方の手には飲み物を入れたコップを、という具合に両手がふさがってしまうことで、近くにテーブルなどの置き場所がない時、飲食がスムーズにできず困ってしまった。【解決手段】片手で飲食物を保持して、誰もが自由に食事ができるように、食物用皿２とコップ用受け皿３を接合一体化し、指挿入穴４を左右合わせて二箇所設けた。【選択図】図１
2004181172.tif 000002
【特許請求の範囲】
【請求項１】
料理を入れる食物用皿とコップ起立用のコップ用受け皿を接合一体化し、かつ把持するための指挿入穴を本体の左右に、それぞれ一箇所ずつ、即ち二箇所設けたことを特徴とする立食用食器具。
【請求項２】
食物用皿とコップ用受け皿を共に通る中心線を引いた時、左右対称形であることを特徴とする請求項１記載の立食用食器具。
【請求項３】
食物用皿の底部とコップ用受け皿の底部には高低差がなく、同じ水平位置にあることを特徴とする請求項１記載の立食用食器具。
【発明の詳細な説明】
【０００１】
【発明の属する技術分野】
この発明は、立食用食器具及びトレイに関する。
【０００２】
【従来の技術】
従来の立食パーティーにおいては、片手で安定して保持できる立食用の食器具というのは、特になく、一般に使用されている皿５とコップ６で間に合わされていた。
【０００３】
【発明が解決しようとする課題】
しかしながら、以上の従来技術によれば、席を指定せず、立ったまま飲食する立食パーティーにおいて、会場で用意されたテーブルの側で飲食する時は、食器の置き場所があって良いが、テーブルの数が充分でない場合や、テーブルから離れた場合、食べ物の入った皿と飲み物の入ったコップで両手がふさがれ、困ってしまう事がよくあった。
そこで、この発明は、両手がふさがることなく、右利き左利きの人に関係なく、片手で、飲食物を安定して保持し、立ったまま楽しく飲食ができるように設計した立食用食器具を提供することを課題とする。
【０００４】
【課題を解決するための手段】
以上の課題を解決するために、請求項１の発明は、料理を入れる食物用皿とコップ起立用のコップ用受け皿を接合一体化し、かつ把持するための指挿入穴を本体の左右に、それぞれ一箇所ずつ、即ち二箇所設けたことを特徴とする立食用食器具である。
また、請求項２の発明は、食物用皿とコップ用受け皿を共に通る中心線を引いた時、左右対称形であることを特徴とする立食用食器具である。
また、請求項３の発明は、食物用皿の底部とコップ用受け皿の底部には高低差がなく、同じ水平位置にあることを特徴とする立食用食器具である。
【０００５】
【発明の実施の形態】
この発明の一実施形態を、図１に示す。
図１において、本立食用食器具は、合成樹脂材等により一体成形したもので、略卵形平板である本体１には、食べ物を入れる凹部、即ち食物用皿２と、コップ起立用凹部、即ちコップ用受け皿３と、指挿入穴４が左右あわせて二箇所設けられ、そのことも含め、食物用皿２とコップ用受け皿３を共に通る中心線を引いた時、左右対称形である。食物用皿２とコップ用受け皿３の凹部は、食べ物と飲み物が安定して置ける程度の深さであり、食物用皿２とコップ用受け皿３の底部には、高低差がなく、同じ水平位置になるよう、同じ深さに形成される。食物用皿２は、直に食べ物を入れる皿であるが、既に食べ物がよそわれている皿を置く事も可能な造りである。指挿入穴４は、基本的に親指を底部から挿し入れ、把持するためのもので、左右あわせて二箇所設けられ、二箇所共親指がスムーズに入る大きさに形成される。又、指挿入穴４は、本立食用食器具を手のひらにのせた時、食物用皿２とコップ用受け皿３の中間位置で、親指が自然にくる位置に設けられる。猶、本立食用食器具は、片手で自在に扱える程度にコンパクトである。
【０００６】
「実施形態の効果」
この実施形態によれば、食物用皿２とコップ用受け皿３を一体化することにより、又、指挿入穴４を設けることにより、片手で飲食物を保持することができる。更に、指挿入穴４を左右に設けることも含め、本立食用食器具を左右対称形にする事と、食物用皿２とコップ用受け皿３の底部を高低差なく、同じ水平位置にする事により、右利きの人にも、左利きの人にも、同じように安定して保持できるものである。本立食用食器具は、片手で扱える程度にコンパクトで、手のひらにのせた時、親指が自然にくる位置に指挿入穴４が設けられているので、疲れにくく、パーティー等長時間保持する時に最適である。又、指挿入穴４を左右あわせて二箇所設けることにより、右利き左利きの人にかかわらず、指挿入穴の一箇所に、  親指を底部から挿し入れ把持し、他の四本の指で食器具の底部を支えて保持する方法と、指挿入穴の一方に同じく親指を、もう一方の指挿入穴に他の指、例えば小指等を、やはり底部から挿し入れ把持し、残りの三本の指で食器具の底部を支えて保持する方法等。更には、食器具を反転させ、食物用皿２とコップ用受け皿３の位置を変える等、自由自在に扱うことができる。
【０００７】
「他の実施形態」
図１の実施形態では、食物用皿２とコップ用受け皿３の凹部の底部は、平板である本体１より下の位置に設けられたが、他の実施形態では、食物用皿２とコップ用受け皿３の凹部の底部は、平板である本体１と同じ水平位置に、即ち食物用皿２とコップ用受け皿３は、平板である本体１の上に設置される形となっても良い。又、図１の実施形態では、食物用皿２とコップ用受け皿３の凹部は同じ深さであったが、他の実施形態では、食物用皿２よりコップ用受け皿３の凹部の方が深くなっても良い。
【０００８】
【発明の効果】
以上説明したように、この発明によれば、食物用皿とコップ起立用のコップ用受け皿を接合一体化し、かつ、把持するための指挿入穴を、本体の左右あわせて二箇所設けたことにより、更に、左右対称形にしたことと、底部を水平にしたことで、片手で飲食物を安定して保持できるので、立食形式のパーティー会場などにおいて、右利き左利きの人に関らず誰もが自由に飲食や歓談を楽しめる。
【０００９】
また、立食用食器具を持った以外の手が空くので、空いた手で食べ物をよそって食べたり、飲み物を飲んだりできると同時に、パーティー会場などにおいてよく行われる名刺交換も楽にできる。
【図面の簡単な説明】
【図１】この発明の一実施形態を示す斜視図である。
【図２】従来技術を示す斜視図である。
【符号の説明】
１  本体                                  ２  食物用皿
３  コップ用受け皿                        ４  指挿入穴
５  皿                                    ６  コップ
【図１】
2004181172.tif 000003
【図２】
2004181172.tif 000004
(57)【要約】〔課題〕冷料理の冷感温度を保ち乍ら、味を損うことなく食することが出来る器を提供する。〔解決する手段〕器の上部に袋棚を設け、保冷ジエル袋を固定した。【選択図】図１
2004181199.tif 000002
【特許請求の範囲】
【請求項１】
食器の上位部の周囲又は、一部に袋棚を設け、冷凍した冷却用ジエルを内蔵するもの。
【発明の詳細な説明】
【０００１】
本発明は、冷温料理用の食器の上位部に設けられた袋棚に、冷凍した冷却用ジエルを装入し、冷温料理を長時間保冷するに関する。
〔従来の技術〕
刺身等生物を器にて供する場合、室温の影響で、内容物が生ぬるくなったり、表面が乾いたりして、味を損なっていた。
その対策として、氷を底部に敷く冷却方法をとる場合もあるが、食事なかばで、氷が溶解してしまっていた。
又他の方法として、表面の乾燥を防ぐ為、しめった化粧紙を内容物の上から、かぶせる方法もとられている。
しかしいづれにしても、万足させる方法ではない。
〔課題を解決する為の手段〕
前記課題を解決する為に、袋入りジエルを冷凍しておき、冷料理を供する時点で、器の袋棚にジエルを装入して供する。この方法によりジエルが−１５℃前后に冷凍されている為、長時間（１時間以上）にわたって冷料理を冷却することが出来る。
【０００２】
〔発明の実施形態〕
図１は本発明の食器に、ジエル入袋を組合せた側面断面図である。
図２は食器に、ジエル入袋を組合せた上面図である。
【０００３】
器１は陶器、ガラス等からなっている。
【０００４】
器１の上位部に長方形の袋棚２を設けてある。
【０００５】
袋棚２に、強じんな袋に封入されたジエル３を挿入する。
〔発明の効果〕本発明によって以下の効果を奏することが出来る。
【０００６】
従来冷却した冷料理を器に盛り、供していたが、室温により径時と共に生ぬるくなり、又冷料理の表面が乾燥して料理が変色していた。
この発明の如く、保冷材ジエルを、器上部に固定しておくことにより、発生した冷気は比重が重い為、器内部に充満確保出来、１時間以上にわたって適温を保つことが出来る。
【０００７】
冷気により、冷料理が、冷却され、室温との温度差により結露現象を起し、その効果で表面に水分を確保出来、冷料理の乾燥による変色が発生せず、長時間にわたって、そのものの味を保つことが出来る。
【図面の簡単な説明】
【図１】本発明の組立側面断面図である。
【図２】本発明の組立上面図である。
【符号の説明】
１．器
２．袋棚
３．ジエル入り袋
【図１】
2004181199.tif 000003
【図２】
2004181199.tif 000004
(57)【要約】【課題】超音波歯ブラシで用いる高周波の超音波振動子において、厚み共振周波数のバラツキが小さく、圧電セラミックスが割れても振動を継続させる。【解決手段】超音波振動子を、両面に電極部を形成して厚み方向に分極処理した矩形薄板の圧電セラミックス表面に、１００μ以下の厚みの金属箔を貼り付けて構成する。【選択図】        図１
2004181193.tif 000002
【特許請求の範囲】
【請求項１】
歯ブラシの先端部に埋め込まれて超音波を放射する振動子において、両面に電極部を形成して厚み方向に分極処理した矩形薄板の圧電セラミックス、該圧電セラミックスの少なくとも一面に貼り付けられた１００μ以下の金属箔より構成したことを特徴とする超音波振動子。
【発明の詳細な説明】
【０００１】
【発明の属する技術分野】
本発明は、超音波歯ブラシの先端部に埋め込まれる超音波振動子に関する。
【０００２】
【従来の技術】
従来、超音波歯ブラシに用いられる超音波振動子は、分極処理した後の圧電セラミックスをそのまま使用したり、矩形圧電セラミックスが真中で割れても駆動できるように長手方向にリード線を配して両端をハンダ付けしたものが知られている。
【０００３】
【発明が解決しようとする課題】
従来の圧電セラミックスをそのまま使用する超音波振動子にあっては、割れなどの破損が生じた場合、リード線によって駆動電源につながっている部分のみ振動し、十分な超音波放射できなかった。
【０００４】
圧電セラミックスの両端でリード線をハンダ付けした超音波振動子にあっては、少なくとも中折れ破損に遭遇しても振動が継続することができた。しかし、この超音波振動子の超音波の放射面にあたる表面がハンダで覆われているため、超音波の放射を阻害していた。また、ハンダによって超音波振動子の厚みが一定せず、製造した超音波振動子ごとに厚み共振周波数が大きく異なる問題点があった。
【０００５】
本発明は、圧電セラミックスが割れ破損しても振動を継続することができ、生産においても共振周波数のバラツキの少ない超音波振動子を提供することを目的とする。
【０００６】
【課題を解決するための手段】
この課題を解決するために本発明の超音波振動子は、両面に電極部を形成して厚み方向に分極処理した矩形薄板の圧電セラミックスの表面に、１００μ以下の厚みの金属箔を貼り付けられた構成としたものである。
【０００７】
これにより、圧電セラミックスが割れても全面積で駆動電源に金属箔を介して導通しているため、振動の継続が得られる。
【０００８】
また、圧電セラミックスの表面が均一な厚みの金属箔で覆われるため、製造に際しても振動子全体の厚みが一定に保たれ、共振周波数のバラツキが少なくできる。
【０００９】
【発明の実施の形態】
以下、本発明の実施の形態について、実施例にもとづき図面を用いて説明する。
（実施の形態１）
図１は歯ブラシ埋込み型超音波振動子を示し、図１において１は厚さ１．４ｍｍの矩形薄板の圧電セラミックスである。この圧電セラミックス１は、図の上下面にあたる表裏で銀電極（図示せず）を焼き付けた後、両面に高電圧を印加して厚み方向に分極してある。
【００１０】
圧電セラミックス１の表裏面には、圧電セラミックス１よりやや長くした厚さ２０μのステンレス箔２ａ、２ｂを、一端面Ａで揃えてエポキシ形接着剤で接着してある。そして、他端面からせり出した部分でリード線３ａ、３ｂにハンダ付けしてある。
【００１１】
【発明の効果】
本発明の超音波振動子は、以上のように構成されているので、以下に記載されるような効果を奏する。
【００１２】
圧電セラミックスの電極面全体が引っ張りに強い金属箔で覆われているので、割れなどの破損が生じにくい。
【００１３】
また、圧電セラミックスに割れが生じたとき、割れで分離した電極部にも金属箔を介して電力が供給されるので、厚み振動が阻害されることはない。
【００１４】
また、圧電セラミックスの平らな表面に沿うように薄い金属箔が貼られているので、超音波振動子の厚みが全面に渡って一定で均一になり、製品ごとに厚み共振周波数のバラツキがすくなくなった。
【００１５】
超音波振動子の表面は金属箔によって極めて滑らかになり、表面から超音波が効率よく放射できるようになった。
【図面の簡単な説明】
【図１】本発明の超音波振動子に関わる１実施例の外観図である。
【符号の説明】
１  ・・・圧電セラミックス
２ａ、２ｂ  ・・・ステンレス箔
３ａ、３ｂ  ・・・リード線
【図１】
2004181193.tif 000003
(57)【要約】【課題】本発明は、首にシップを貼った時又は首の治療処置後の固定道具として首あてパットを考えた。首あてパットをシップの上又は首の治療処置後の患部の上から当てる事により、シップ又は患部部分が固定されはがれない様になるという物である。【解決手段】本発明は上記の課題を解決するために、首に貼ったシップ又は首の治療処置後の患部の上から当てるパットの形、厚みを考えた。パットを付けた時、首に違和感がなく、首のフィット感も重視して考えた。首に巻きつけるベルトの部分も使用する者によりサイズが異なる為、調整出来る様マジックテープを使用した。【選択図】  図１
2004181200.tif 000002
【特許請求の範囲】
【請求項１】
首にシップを貼った時、又は首にケガ、治療などの処置後の固定道具として使用出来る首あてパットである。
【発明の詳細な説明】
【０００１】
【発明の属する技術分野】本発明は、首にシップを貼った時又は、首にケガ、治療などの処置後の固定道具として使用出来る首あてパットに関する物である。
【０００２】
【従来の技術】従来は首にシップを貼ってもすぐにハガレ落ち、固定する事が出来なかった。又、首にケガなどした場合にも、包帯で処置をしていたが、どうしてもズレてしまい固定感が無く圧迫感があった。簡単にワンタッチで脱着でき首の処置後の固定道具として使用出来る物は従来なかった。
【０００３】
【発明が解決しようとする課題】そこで本発明は、首にシップを貼った時又は、首の治療処置後の固定道具として首あてパットを考えた。首あてパットをシップの上又は首の治療処置後の患部の上から当てる事により、シップ又は患部部分が固定され、はがれない様になるという物である。
【０００４】
【課題を解決するための手段】本発明は、上記の課題を解決するために、首に貼ったシップ又は、首の治療処置後の患部の上から当てるパットの形、厚みを考えた。パットを付けた時首に違和感がなく、首のフィット感も重視して考えた。首に巻きつけるベルトの部分も使用する者によりサイズが異なる為調整出来る様マジックテープを使用した。
【０００５】
【発明の実施の形態】本発明を実施する為に、シップ又は、首の治療処置後の固定道具としてシップ又は首の患部にパット本体が当たる様におし当てる。使用する者の首のサイズも異なる為、パット本体に長さを調整出来るベルトを付け、首のサイズに合わせ使用する。パットを移動する事により、首のどこの部分にでも使用する事が可能である。
【０００６】
【実施例】
【１】１は中にスポンジが入っており、布にくるんである本体パットである。首に沿う様に上の部分の厚みを厚くし、フィット感を出した。
本体パットをシップ又は、首の治療処置後の患部に当て、２ベルトを首にまわし、３マジックテープで長さを調整し留める様工夫した。
【０００７】
【発明の効果】しかして本発明によれば、首にシップを貼った場合又は、首の治療処置後の患部に首あてパットをする事により、シップ又は患部が固定されはがれにくくなる。首あてパットは自分でも簡単に脱着出来、シップ又は、治療処置後の固定道具として色々な用途で使用する事が出来る。
【図面の簡単な説明】
【図１】本発明の平面図
【図２】本発明の立体図
【符号の説明】
１  本体のパット
２  ベルト
３  マジックテープ
【図１】
2004181200.tif 000003
【図２】
2004181200.tif 000004
(57)【要約】【課題】従来のストロー固定具は、ペットボトル飲料専用でジュース等が入った缶飲料用はなかった。また、外出先で使用することが多い為、ストローと固定具が一体型だと使い終わったら洗う手間がかかった。【解決手段】クリップ４の下部にプルタブ挟み部１０を設け、垂直に起こしたジュース等の飲料が入った缶８のプルタブ７を挟んで固定する。そして、クリップ４の背面には円筒状のストロー固定部３を設け、市販の使い捨てストロー６を挿入して固定する。また、ストロー固定部３の中にゴム製のストロー６のすべり止め５を設けることで、固定した位置から使い捨てストロー６が安易に動かないようにする。【選択図】図２
2004181197.tif 000002
【特許請求の範囲】
【請求項１】
クリップにプルタブ挟み部、つまみ部、ストロー固定部、およびすべり止めを設けたことを特徴とする、クリップ付きのストロー固定具。
【請求項２】
クリップにプルタブ挟み部とつまみ部と円筒状のストロー固定部、およびスロー固定部にすべり止めを設けたことを特徴とする、請求項１記載のクリップ付きのストロー固定具。
【発明の詳細な説明】
【０００１】
【発明の属する技術分野】
本発明は、ストローで缶に入ったジュース等の飲料を飲むときに、ストローを動かないようにするための固定具に関するものである。
【０００２】
【従来の技術】
従来のストロー固定具は、ストローと固定具が一体型で、固定具側にはネジ山を設けてある。これは、ペットボトル飲料のフタがねじ込み式で開閉出来るようになっているためで、フタの代わりにストロー固定具をペットボトルの口にねじ込んで固定するようになっている。
【０００３】
【発明が解決しようとする課題】
しかしながら、缶飲料の開け方のほとんどがタブを起こす、タブを戻すで飲み口が開いて飲めるようになっている。従って、従来の技術のようにねじ込んで固定するためのネジ山は無く、飲み口の形状も違うため缶には固定出来ない。また、ストローと固定具が一体型だと使い終わったら洗う手間がかかる。
そこで、本発明は、市販の使い捨てストローをジュース等の飲料が入った缶に固定出来る、ストローの固定具を提供することを課題とする。
【０００４】
【課題を解決するための手段】
以上の課題を解決するために、請求項１の発明は、クリップにプルタブ挟み部、つまみ部、ストロー固定部、およびすべり止めを設けたことを特徴とするクリップ付きのストロー固定具である。
また、請求項２の発明は、クリップにプルタブ挟み部とつまみ部と円筒状のストロー固定部、およびストロー固定部にすべり止めを設けたことを特徴とするクリップ付きのストロー固定具である。
【０００５】
【発明の実施の形態】
この発明の一実施形態を、図２に示す。
クリップ４の上部につまみ部２を設け、クリップ４の下部にプルタブ挟み部１０を設ける。さらに、クリップ４の背面に円筒状のストロー固定部３を設け、固定した位置から安易に使い捨てストロー６が動かないように、ストロー固定部３の中にゴム製のストローのすべり止め５を設ける。
本発明は以上のような構造で使用方法は、ジュース等の飲料が入った缶８のプルタブ７を起す。つまり、プルタブ７が垂直で飲み口１１が開いた状態である。
この状態のところに、本体１のつまみ部２を指でつまみ、プルタブ７の上にプルタブ挟み部１０を当てで押し込むとプルタブ挟み部１０が広がりクリップ４の板９が反る。そして、反った板９には戻る力が生じる為、プルタブ７が挟まれて本体１が固定される。次に、円筒状のストロー固定部３に市販の使い捨てストロー６を挿入して使用する。
なお、プルタブ７を挟む方法としては、クリップ４の板９をそらせて元に戻る力を利用して挟んでいるが、別に設けたバネの力を利用してもよい。
【０００８】
【発明の効果】
以上説明したように、本発明によれば缶にストローが固定されているのでストローをくわえやすい。特に力の弱い幼児などはストローを手で押さえる必要がないため缶を両手で持てる。従って、ふらつきや落下が抑えられて飲みやすい。また、市販の使い捨てストローを使用している為、外出先で使用しても洗う手間がかからない。
【図面の簡単な説明】
【図１】本発明の正面図である。
【図２】本発明の使用状態を示す断面図である。
【符号の説明】
１  本体
２  つまみ部
３  ストロー固定部
４  クリップ
５  すべり止め
６  使い捨てストロー
７  プルタブ
８  缶
９  板
１０  プルタブ挟み部
１１  飲み口
【図１】
2004181197.tif 000003
【図２】
2004181197.tif 000004
(57)【要約】【目的】水蒸気とマイナスイオンにより  衣類のしわ  風合いを戻し  衣類の仕上げ工程での品質向上と省力化を図る。【構成】蒸気噴射ノズル▲１▼  イオン噴射ノズル▲２▼  より噴射された水蒸気とマイナスイオンが結合した  マイナスイオン水蒸気が  送風機▲３▼  とヒーター▲４▼により加熱循環されボックス内の衣類のしわを伸ばし風合いを回復させる事が出来る。【選択図】  図１
2004181198.tif 000002
【特許請求の範囲】
【請求項１】
マイナスイオンと水蒸気を同時及び交互に又はイオン水蒸気を散布し繊維のしわを取り風合いを蘇らす装置。
【発明の詳細な説明】
【０００１】
【産業上の利用分野】
本発明によってクリーニング業を初めとした衣類関係業種の衣服仕上げの省力化と品質の向上が出来る。
【０００２】
【従来の技術】
省力化を目的とした衣類の仕上げ装置はスチームと熱と機械力を使う物であり出来上がりに充分な効果が出ず  後の人為的手直しを必要としている  と共に本発明のようなマイナスイオンを同時及び交互に利用する技術は従来ない。
【０００３】
【発明が解決しようとする課題】
衣類のしわ風合いを元に戻し  仕上げ工程での省力化と品質の向上を実現する。
【０００４】
【課題を解決するための手段】
水蒸気とマイナスイオン又はマイナスイオン水蒸気を使うことにより繊維内部に効率よく水分を注入でき  しわを伸ばし  風合いを回復させる事が出来る。
【０００５】
【実施例】
実施例１
図１の説明、この図は密閉されたボックスの中で衣類を水蒸気とマイナスイオンでしわを伸ばし風合いを回復させる  ボックス型仕上げ機である。
【０００６】
実施例２
図２の説明、この図は自動搬送レールで衣類を搬送しながら連続的に水蒸気とマイナスイオンでしわを伸ばし風合いを回復させる  トンネル型仕上げ機である。
【０００７】
【発明の効果】
衣類のしわと風合いを  従来のアイロンやスチーム仕上げ機以上の仕上げ力で品質の向上と省力化が実現出来る。
【図面の簡単な説明】
【図１】この図は衣類を水蒸気とマイナスイオンで仕上げるボックス型仕上げ機である。
【図２】この図は衣類を水蒸気とマイナスイオンで仕上げるトンネル型仕上げ機である。
【図１】
2004181198.tif 000003
【図２】
2004181198.tif 000004
(57)【要約】【課題】スリッパの先端部カバーの内面と底部に炭の粉末塗料を塗布して炭の持つ遠赤外線効果を利用した寒冷地や冬季使用時の保温効果スリッパです。【解決手段】スリッパ本体（１）から成るカバー（２）のカバー内面（３）と底部（４）の面に炭の粉末にゴム系接着剤を混合した炭粉末塗料を塗布し、炭の特徴である遠赤線外効果を利用した保温スリッパです。【選択図】  図１
2004181191.tif 000002
【特許請求の範囲】
【請求項１】
スリッパ本体（１）から成る、カバー（２）のそのカバー内面（３）と底部（４）に、炭の粉末と接着剤を混合した炭粉末塗料を塗布した保温スリッパです。
【発明の詳細な説明】
【０００１】
【発明の属する技術分野】この発明はスリッパの保温効果を高める為に、炭の特徴である遠赤外線効果を利用した保温スリッパです。
【０００２】
【従来の技術】従来のスリッパは、布、皮、ゴム、ビニール、紙等で構成されている。
【０００３】
【発明が解決しようとする課題】これには、次のような欠点があった。
（イ）寒冷地や冬季時に使用するスリッパは保温効果を増すため、毛足の長い素材や、厚い素材の生地を使う必要があった、毛足が長いと汚れやごみが毛にからみ付き、毛球が出来る。
（ロ）保温を増すため、素材にゴム、ビニールを使用したスリッパは汗がこもり悪臭の原因になる。
（ハ）保温を増すため、素材にゴム、ビニールを使用したスリッパは通気性が無く、蒸れてカビが発生する。
（ニ）保温を増すため、素材に毛足の長い物は使用中スリッパと足が滑り安定が悪い。
【０００４】
【発明が解決するための手段】スリッパ本体（１）のカバー（２）のカバー内面（３）と底部（４）とに、炭の粉末とゴム系接着剤を混合した、炭粉末塗料を塗布したスリッパです。炭の特徴である遠赤外線効果を利用し、保温効果と通気性を確保したスリッパです。
【０００５】
使用方法は従来のスリッパと変わる所は無く、炭粉末塗料を足先のカバー部の内面と底部に塗布することで炭の特徴である遠赤外線効果が期待できる、使用していると足の先端部が暖かく、蒸れずに通気性もある。又、脱臭効果で臭いを吸収してくれる。
【０００６】
【発明の実施の形態】本発明の実施例はスリッパの足先端部カバーの内面に、足の摩擦で炭塗料が剥がれない様にプライマーを塗布して密着性を強化した、その上に炭粉末とゴム系接着剤を混合した炭粉末塗料を塗布する。さらに表面に色落ちを防ぐために薄くゴム系のトップコートを施し、完全に炭粉末塗料をスリッパの足先端部カバー内面と底部に固定させてた。
【０００７】
炭粉末塗料を足先端部カバーの内面と底部全体図２に塗布しても、上記の効果は同じ様に得られます。
【発明の効果】使用方法は、従来のスリッパと変わる所は無いです、炭粉末塗料が塗布されていることにより次のような効果が得られる。
（イ）炭粉末塗料が塗布されている箇所は炭の特徴である遠赤外線効果で保温効果がある。
（ロ）炭の粉末に活性炭を使用しているので、活性炭の持つ特徴が臭いを吸収してくれる。
（ハ）遠赤線外効果による保温なのでスリッパの素材に通気性のある物が使用出来るので、蒸れないのと、又、防カビ効果がある。
（ニ）炭粉末塗料にゴム系接着剤を使用しているから、滑り止め効果がある、したがって、足とスリッパがずれないので安定した履き心地である。
【図面の簡単な説明】
【図１】本発明の炭塗料部分塗布斜図
【図２】本発明の炭塗料全面塗布斜図
【符号の説明】
１．スリッパ本体
２．カバー
３．カバー内面
４．底部
【図１】
2004181191.tif 000003
【図２】
2004181191.tif 000004
(57)【要約】【課題】湿布を貼る時、湿布の粘着側のフィルムが剥しにくい。また、肩や腰など両手が同時に届きにくい部分へ湿布を貼る時は一人で貼る事が非常に困難である。したがって誰でも簡単にフィルムを剥す事が出来、且つ一人でも片手で簡単に貼れるようにする事を課題とした。【解決の手段】マジックテープが湿布の粘着側と反対の面に軽く接着する現象を利用して片手で持てる板状の器具にこれを採用し、湿布を簡単に貼れるようにした。【選択図】図１
2004181194.tif 000002
【特許請求の範囲】
【請求項１】
手で持ちやすくした弾力のあるプラスチック等の板（１）にスポンジ（２）を貼り付けその上に硬い方のマジックテープ（３）を貼り付けた器具。
【発明の詳細な説明】
【０００１】
【発明の属する技術分野】
本発明は、湿布を簡単に貼る事が出来るようにする補助器具に関する。
【０００２】
【従来の技術】
従来は湿布を素手で直接貼るしか無く、粘着側のフィルムを剥す時に粘着側同士が引っ付いてしまう事が多く剥しにくかった。また、肩や腰など両手が同時に届きにくい部分へ貼る時は一人で貼る事が非常に困難であった。
【０００３】
【発明が解決しようとする課題】
本発明は湿布を貼る時、誰でも簡単にフィルムを剥す事が出来、且つ片手で簡単に素早く貼れるようにする事を課題とした。
【０００４】
【課題を解決するための手段】
以上の問題を解決する為に手で持ちやすくした弾力性のあるプラスチック等の板（１）にスポンジ（２）を貼り付けその上に硬い方のマジックテープ（３）を貼り付けた器具を作った。
【０００５】
【発明の実施の形態】
片手で簡単に貼れるようにする為には湿布を手の平に乗せて貼れる感覚が良い。そこで肩のような曲面部にも対応出来るように弾力のあるプラスチック等の板（１）に持ち易いように指を通せる取っ手（４）を付けた。更に皮膚に凹凸部があっても均等に湿布を押し付けられるように板にスポンジ（２）を貼り付けその上に硬い方のマジックテープ（３）を貼り付けた。
使用方法としては、先ず湿布をマジックテープの付いた平面状の部分へ載せてフィルムを剥す。この時マジックテープが軽い力で湿布を固定するため湿布が動かず簡単にフィルムを剥す事が出来る。次に取っ手（４）に指を通して器具を持つと、湿布はマジックテープの軽い接着力により逆さにしても張り付いたままである。そのまま貼りたい部分へ湿布を軽く押し付けて離すと今度は湿布の皮膚への粘着力の方がマジックテープの接着力に勝るため湿布は皮膚の上に留まり、簡単に器具から離れる。
【０００６】
【他の実施形態】
取っ手の部分はつかみ易い方法であれば他の方法でも良い。弾力のある板の材質も機能が出せればプラスチック等でなくても良い。
【０００７】
【発明の効果】
本発明により湿布を貼る事が誰でも簡単に素早く出来るようになった。特に人の手を借りなければ湿布を貼り辛かった肩や腰にも一人で簡単に貼ることが出来るようになった。
【図面の簡単な説明】
【図１】本発明の湿布を貼る面からの斜視図
【図２】本発明の手に持つ面からの斜視図
【符号の説明】
（１）弾力性のあるプラスチック等の板
（２）スポンジ
（３）硬い方のマジックテープ
（４）取っ手
【図１】
2004181194.tif 000003
【図２】
2004181194.tif 000004
(57)【要約】【課題】商店では少ない面積で多くの商品を陳列する事を望まれる。長尺商品を小さい面積に多く詰めると垂直に成り陳列棚から倒れ出て通路をふさぐので多く陳列する事ができない。左右の仕切りの端から端へ鎖を張り渡し倒れ掛かかったとき通路に出ないようにしているが商品が長いので上の棚や天井につかえて取り出しにくい問題があった。【解決手段】左側の仕切りは右に、右側の仕切りは左に曲げるが、位置をずらして囲むように曲げる。そのことで通路側へ商品の倒れを止められるが、商品の出入りする間隔も確保もできる。【選択図】        図１
2004181027.tif 000002
【特許請求の範囲】
【請求項１】
長尺商品を陳列する時、転倒防止の為に左右の仕切りを囲うように曲げる。その左右の曲げる位置をずらす事により商品取り出し口を確保した仕切り。
【発明の詳細な説明】
【０００１】
【発明が属する技術分野】
本発明は、長い竿のような立てて陳列しなければ売り場面積を少なく出来ない商品の陳列棚に属する。
【０００２】
【従来の技術】
長い商品を立てて陳列する時少ない面積に多くの商品を詰めるとどうしても垂直に成りがちで、隣の商品にもたれ掛かる事を防ぐ左右の仕切りは従来より存在するが、売り場側はもっと垂直に置いて巾を狭くしたいとの要望が多く垂直に置けば商品が通路側に倒れて問題が多かった。
【０００３】
【発明が解決しようとする課題】
解決しようとする問題点は、商品が通路側に倒れる事を防ぐだけでなく買ってくれるお客さんが取り出しやすく無ければならない。
【０００４】
【課題を解決するための手段】
本発明は、左右の仕切りを向かい合うように通路側の倒れを防ぐように曲げてなお左右の曲げる位置を前後にずらす事により前後のずれた間より商品を取り出せる。
【０００５】
【発明の実施の形態】
本発明の仕切りを横位置に移動かつ固定するバーに固定ねじで任意の巾を定めて、高さは固定バーを支える左右の柱に固定する。
【０００６】
【実施例】
図１Ａは、本発明バー状の仕切り側面図です、２の部分で長方形断面をした固定バー５にはめ込み３の固定ねじを締めて巾を定めます。
【０００７】
商品の長さに応じて８の柱に上下二段に分けて本発明のバー状の仕切りを組付けると尚良い。
【発明の効果】
売上増を目指す商店は少ない売り場面積により多くの品数をそろえて切れ目無く陳列する事が大事。そのため並べやすく買いやすいその上に省面積の本発明品はまさに売上増に貢献する。
【図面の簡単な説明】
【図１】Ａは、バー状の仕切り側面図です。  Ｂは、バー状の仕切を上から見た（実施例１）です、左右のバー状の仕切りの交差している隙間から商品の出し入れをします。
【図２】バー状の仕切りを使用した陳列棚の正面図です。（実施例２）
【符号の説明】
１    バー状の仕切り
２    バー状の仕切り本体
３    調節ねじ
４    右バー状の仕切り
５    固定バー
６    左バー状の仕切り
７    陳列商品例
８    柱
【図１】
2004181027.tif 000003
【図２】
2004181027.tif 000004
(57)【要約】【課題】冷たい飲料を飲むための冷却や保冷といった一連の作業を簡略化し、飲料を容器に収めたまま、薄めることなく冷たい飲料を飲むことができる器具を提供することを課題とする。【解決手段】蓄冷材１を細長い筒状に形成し、液不透過材２で被覆した飲用ストローとする。これにより飲料が収められた容器に差し込み吸引することで、飲用ストロー内部を飲料が通過する際、蓄冷材１により冷却され、薄めることなく冷たい飲料を飲むことができる。【選択図】        図１
2004181062.tif 000002
【特許請求の範囲】
【請求項１】
蓄冷材を細長い筒状に形成した飲用ストロー。
【請求項２】
液不透過材で被覆した請求項１の飲用ストロー。
【発明の詳細な説明】
【０００１】
【発明の属する技術分野】
本発明は食卓用器具に関し、より詳細には、飲料が飲用ストロー内部を通過する際、蓄冷材により飲料を冷却しながら飲むことができる飲用ストローに関する。
【０００２】
【従来の技術】
従来、冷たい飲料を飲むためには、まず飲料を冷却し、次に必要に応じて保冷しながら、飲料が収められた容器から直接、あるいは飲用ストローを使い飲むといった手順を追う。これら各手順の詳細は次の通りである。
【０００３】
飲料を冷却するには、飲料に氷を入れる方法、あるいは冷蔵庫などの冷却装置を使用する方法などがある。
【０００４】
飲料を保冷しながら飲むには、飲料に氷を入れる方法、あるいは保冷容器を使用する方法がある。
【０００５】
飲料の飲み方には、飲料が収められた容器を持ち上げ、容器に直接口を付け、傾けながら飲む方法、あるいは飲料が収められた容器に飲用ストローを差し込み、吸引して飲む方法などがある。
【０００６】
飲用ストローは、細長い筒状に形成されていて、飲料が収められた容器に差し込み吸引することで、容器を持ち上げたり、傾けたりすることなく、また飲料に氷が入っている場合には飲料と氷を分別しながら、容器内の飲料を容易に飲むことができる。
【０００７】
【発明が解決しようとする課題】
従来技術の課題は次の通りである。
【０００８】
飲料に氷を入れ冷却する場合、氷が溶けて飲料が薄くなる。また、缶やペットボトルなど飲み口が小さく氷を入れにくい容器に対しては適さない。この場合、氷が入る程度の飲み口をもった容器への入れ替えが必要で、その容器の準備や後片付けの手間が生じる。
【０００９】
飲料を冷蔵庫などの冷却装置で冷却する場合、冷却装置から取り出した後、保冷をしない限り、時間の経過とともに冷たさが失われていく。
【００１０】
飲料に氷を入れ保冷しながら飲む場合、氷が溶けて飲料が薄くなる。また、缶やペットボトルなど飲み口が小さく氷を入れにくい容器に対しては適さない。この場合、氷が入る程度の飲み口をもった容器への入れ替えが必要で、その容器の準備や後片付けの手間が生じる。
【００１１】
飲料を保冷容器で保冷しながら飲む場合、保冷容器への入れ替えが必要で、その容器の準備や後片付けの手間が生じる。さらに時間の経過で保冷能力が失われた場合は、飲料自体を再冷却する必要がある。
【００１２】
本発明は、上記従来技術の問題点を解決することを課題とする。より特定すれば、冷たい飲料を飲むための冷却や保冷といった一連の作業を簡略化し、飲料を容器に収めたまま、薄めることなく冷たい飲料を飲むことができる器具を提供することを課題とする。
【００１３】
【課題を解決するための手段】
上記課題を達成するため請求項１に記載された飲用ストローは、飲料が飲用ストロー内部を通過する際、蓄冷材により飲料を冷却しながら飲むことができる。
【００１４】
吸飲時にその都度冷却するので、飲料をあらかじめ冷却しておく必要はない。また、冷却された飲料をそのまますぐに飲むため保冷の必要もなく、冷却や保冷といった一連の作業を簡略化できる。
【００１５】
細長い筒状に形成した飲用ストローであるため、缶やペットボトルなど飲み口が小さい容器に対しても、そのまま差し込めば使用できるので、容器の入れ替えを必要としない。
【００１６】
細長い筒状に形成した飲用ストローであるため、従来の飲用ストローのように容器内の飲料を容易に飲むことができる。
【００１７】
請求項２に記載された飲用ストローとすることで、飲料を薄めることなく冷却することができる。
【００１８】
【発明の実施の形態】
以下、本発明の実施の形態を説明する。
【００１９】
本発明の構成を図面により説明すれば、図１は、本発明による蓄冷材１を細長い筒状に形成し、液不透過材２で被覆した飲用ストローの斜視図である。図２、図３は飲用ストローの断面図であり、このように蓄冷材１を液不透過材２で被覆する。本発明は以上の構成によりなる飲用ストローである。
【００２０】
本発明を使用するときは、まず、上記の構成によりなる飲用ストローを冷凍装置に入れ蓄冷材１を冷凍する。次に、冷凍された飲用ストローを飲料が収められた容器の中に差し込む。さらに、飲料を吸引することで、飲用ストロー内部を飲料が通過する際、液不透過材２で被覆された蓄冷材１により飲料を薄めることなく冷却され、冷たい飲料を飲むことができる。
【００２１】
また、時間の経過により冷却能力が失われた場合は、この飲用ストローを交換すればよく、飲料自体を再冷却する必要はない。
【００２２】
【発明の効果】
以上説明したように本発明の飲用ストローは、冷たい飲料を飲むための冷却や保冷といった一連の作業を簡略化し、飲料を容器に収めたまま、薄めることなく冷たい飲料を飲むことができる。
【図面の簡単な説明】
【図１】本発明の飲用ストローの斜視図である。
【図２】図１のａ線の断面図である。
【図３】図１のｂ線の断面図である。
【符号の説明】
１    蓄冷材
２    液不透過材
【図１】
2004181062.tif 000003
【図２】
2004181062.tif 000004
【図３】
2004181062.tif 000005